(57)【要約】【課題】機器メーカが自社製品のユーザに対して、無料でサービスを提供するオンラインコンテンツ管理システムでは、データサイズは、一定量に限られていた。【解決手段】移動局（２０３）は、コンテンツ管理サーバ（２０１）へ仮ＩＤを用いたユーザ認証を要求し（４０５）、コンテンツ管理サーバ（２０１）へユーザ情報と機器プロファイルの登録し（４０７）、取得した正式ＩＤを移動局（２０３）内部の記憶部（９０２）に保存する（４１３）。コンテンツ管理サーバ（２０１）は、機器プロファイルより対応するサービスを検索し（４０９）、検索結果に基づき提供するサービスを決定し（４１１）、正式ＩＤを発行し移動局（２０３）へ送信する（４１２）。【選択図】      図４
2004318398.tif 000002
【特許請求の範囲】
【請求項１】
コンテンツ管理サーバと移動局から構成されるコンテンツ管理システムであって、
前記移動局は、基地局と通信を確立し、インターネットサービスプロバイダへ認証を要求し、前記コンテンツ管理サーバへ仮ＩＤを用いたユーザ認証を要求し、前記コンテンツ管理サーバへユーザ情報と機器プロファイルの登録し、取得した正式ＩＤを前記移動局内部の記憶部に保存し、
前記コンテンツ管理サーバは、ユーザ認証処理を行い、ユーザ情報を登録し、機器プロファイルより対応するサービスを検索し、検索結果に基づき提供するサービスを決定し、正式ＩＤを発行し前記移動局へ送信することを特徴とするコンテンツ管理システム。
【請求項２】
コンテンツ管理サーバと移動局から構成されるコンテンツ管理システムであって、
前記移動局は、基地局と通信を確立し、インターネットサービスプロバイダへ認証を要求し、前記コンテンツ管理サーバへ正式ＩＤを用いたユーザ認証を要求し、前記コンテンツ管理サーバへユーザ情報の変更を要求し、
前記コンテンツ管理サーバは、ユーザ認証処理を行い、ユーザ情報を変更し、変更結果を前記移動局へ送信することを特徴とするコンテンツ管理システム。
【発明の詳細な説明】
【０００１】
【発明の属する技術分野】
本発明は、ネットワーク上のコンテンツ管理システムによるサービス提供方法に関し、特に機器種別によるサービス提供方法およびサービス利用のためのユーザＩＤ保存方法に関するものである。
【０００２】
【従来の技術】
従来、ネットワークを介したユーザもしくは製品へのサービス提供は、特開２００２−０７８０３６のように、設定データやプログラムなどを機器自体へダウンロードするサービスが提供されている。
【０００３】
またオンラインコンテンツ管理システムに関しては、図１に示すようにＷｅｂブラウザを用いて、ＰＣ（１０４）から、あるいは、ＰＣ（１０３）から無線基地局（１０２）を経由して、オンラインコンテンツ管理サーバ（１０１）へアクセスし、ユーザ情報を登録することにより、ある一定量のデータに限り無料でオンラインコンテンツ管理システムを利用することができるサービスが提供されている。
【０００４】
【発明が解決しようとする課題】
しかし、情報化が進む現在、自分の所有するデータに対して、どこからでもアクセスできるようなサービス形態が望まれており、特開２００２−０７８０３６のようなダウンロードサービスだけでなく、双方向のアクセス、つまりネットワークを介したデータ管理サービスが望まれている。
【０００５】
オンラインコンテンツ管理システムに関しては、ユーザに無料で利用が許されるデータ量は少ないものであり、ユーザの満足を得られるものではない。これに対して、機器メーカがユーザ登録を済ませた自社製品のユーザに対して、無料で利用できるサービスより大容量のサービスを提供している例もある。しかしこれは、使用している製品の種類に関係なく一定量の利用に限られており、各製品が扱うデータサイズやその特性を考慮したものではない。さらにサービス利用の許可は機器単位ではなくユーザ単位で行われており、その機器メーカの製品を複数所有していても、ユーザには一意的に決められたデータ量以上のデータを扱うことが許されていない。
【０００６】
そこで本発明では、ネットワークを介したデータ管理サービス、つまりオンラインコンテンツ管理システムに関して、機器単位でサービスの利用を許可し、また機器の種類によって提供するサービスを変更することが可能なオンラインコンテンツ管理システムを提案する。
【０００７】
【課題を解決するための手段】
上記目的を達成するため、本出願は、コンテンツ管理サーバとサービスデータベースと基地局と移動局から構成され、前記移動局において、前記基地局と通信を確立する手段と、インターネットサービスプロバイダへ認証を要求する手段と、前記コンテンツ管理サーバへ仮ＩＤを用いたユーザ認証を要求する手段と、前記コンテンツ管理サーバへユーザ情報と機器プロファイルの登録を要求する手段と、取得した正式ＩＤを前記移動局内部の記憶部に保存する手段を有し、前記コンテンツ管理サーバにおいて、ユーザ認証処理を行う手段と、ユーザ情報を登録する手段と、機器プロファイルより対応するサービスを検索する手段と、検索結果に基づき提供するサービスを決定する手段と、正式ＩＤを発行し前記移動局へ送信する手段を有することを特徴とする。
【０００８】
また、前記移動局が通信インターフェースを内蔵していない場合は、通信ユニットを接続することで前記基地局との通信が可能となることを特徴とし、さらに、コンテンツ管理サーバへの仮ＩＤやインターネットサービスプロバイダとの認証に必要な情報などの初期設定データは、メモリカードに保存され、メモリカードを前記移動局のメモリ挿入部に挿入することにより、利用可能であることを特徴とする。
【０００９】
また、前記コンテンツ管理サーバは、前記インターネットサービスプロバイダを兼ねることも可能であり、さらに前記サービスデータベースは、コンテンツ管理の内部に存在することも可能であることを特徴とする。
【００１０】
ユーザ情報を変更する場合には、前記移動局において、前記基地局と通信を確立する手段と、インターネットサービスプロバイダへ認証を要求する手段と、前記コンテンツ管理サーバへ正式ＩＤを用いたユーザ認証を要求する手段と、前記コンテンツ管理サーバへユーザ情報の変更を要求する手段を有し、前記コンテンツ管理サーバにおいて、ユーザ認証処理を行う手段と、ユーザ情報を変更する手段と、変更結果を前記移動局へ送信する手段を有することを特徴とする。
【００１１】
【発明の実施の形態】
（発明の実施の形態１）
図２は本発明の実施の形態１を示した図であり、オンラインコンテンツ管理サーバ（２０１）と、無線基地局（２０２）と、無線移動局（２０３）と、無線移動局（２０３）に挿入されるメモリ（２０４）と、機器プロファイルとそれに対応するサービスが管理されている機器プロファイル・サービス関連テーブル（２０５）から構成される。メモリ（２０４）には、ユーザ登録を行うための初期設定データが記憶される。尚、本形態では無線移動局（２０３）は、無線通信機能を備えたデジタルカメラであり、無線基地局（２０２）との間で無線通信を行う。
【００１２】
図３において、３００は、ユーザ登録を行う無線機能が装備されたデジタルカメラ（図２の無線移動局（２０３）に相当する）であり、電源スイッチ（３０１）、ファインダ（３０２）、ディスプレイ（３０３）、シャッタ（３０４）と、操作ボタン（３０５〜３０９）、及びモード切り換えスイッチ（３１０）と、メモリ挿入部（３１１）から構成される。モード切り換えスイッチ（３１０）は、撮影時には撮影側へ、本形態に示すサービスを利用する場合など、通信を行う場合には通信側へ切り換える。また、初期設定が記憶されているメモリ（２０４）は、メモリ挿入部（３１１）へ挿入される。
【００１３】
図９は、発明の実施の形態１におけるデジタルカメラ３００の構成を示した図である。図９において、デジタルカメラ（３００）は、ＣＰＵ（制御部）（９０１）、記憶部（９０２）、操作部（９０３）、無線インターフェース（９０４）、メモリインターフェース（９０５）を有する。ＣＰＵ（９０１）は、コンピュータであり、ＣＰＵ（９０１）が記憶部（９０３）に記憶されているプログラムを読出して、実行することにより、デジタルカメラ（３００）は、以下のように動作する。操作部（９０３）は、操作ボタン（３０５〜３０９）、モード切り換えスイッチ（３１０）を含む。無線インターフェース（９０４）は、無線基地局（２０２）と無線通信する。メモリインターフェース（９０５）は、メモリ（２０４）を電気的に接続し、メモリ（２０４）からのデータを読出す。
【００１４】
図４は、本形態におけるユーザ登録のシーケンスを示した図であり、図５は、ユーザ登録後にサービスを利用する際のシーケンスを示したものである。
【００１５】
以下に、本形態の具体的な動作について、図４、図５、図８を用いて説明を行う。
【００１６】
ユーザ登録に必要な初期設定データは、機器購入時に添付されるメモリ（２０４）にあらかじめ記憶されており、ユーザは、それを機器のメモリ挿入部（３１１）へ挿入して用いる。初期設定データには、インターネットプロバイダ情報（インターネットサービスプロバイダとの認証に必要な情報）、オンラインコンテンツ管理サーバへアクセスするための仮ＩＤなどが記憶されている。
【００１７】
ユーザは無線通信が可能な場所において、機器購入後初めて、モード切り換えスイッチ（３１０）を通信モードに設定し電源スイッチ（３０１）を入れるか、電源投入後にモード切り換えスイッチ（３１０）を撮影モードから通信モードへ切り換えるかしたときに、ユーザ登録が開始（４０１）される。無線基地局（２０４）からは、ビーコン（４０２）が送出されている。
【００１８】
その後、機器（２０３）は、無線基地局（２０２）との間で無線接続（４０３）を行い、インターネットサービスプロバイダとの間でユーザ認証（４０４）が行われる。無線接続（４０３）は、無線インターフェース（９０４）により行なわれる。また、機器（２０３）は、ユーザ認証（４０４）のために、メモリ（２０４）に記憶されているインターネットプロバイダ情報を用いる。機器（２０３）は、メモリインターフェース（９０５）により、メモリ（２０４）に記憶されているデータを読出す。インターネットサービスプロバイダは、無線基地局（２０２）とオンラインコンテンツ管理サーバ（２０１）の間にある。詳細には、無線基地局（２０２）とオンラインコンテンツ管理カーバ（２０１）の間には、インターネットがあり、インターネットサービスプロバイダは、無線基地局（２０２）とインターネットの間にある。
【００１９】
ユーザ認証（４０４）が完了すると、機器（２０３）からオンラインコンテンツ管理サーバ（２０１）へ、仮ＩＤを用いたユーザ認証要求（４０５）が行われる。この仮ＩＤは、メモリ（２０４）に記憶されている。
【００２０】
オンラインコンテンツ管理サーバ（２０１）は、受け取った仮ＩＤによって認証処理を行い、認証に成功した機器に対して接続を許可（４０６）する。機器（２０３）は、オンラインコンテンツ管理サーバ（２０１）から接続を許可されると、オンラインコンテンツ管理サーバ（２０１）へユーザ情報を登録し、それと同時に機器固有の機器プロファイルを送信（４０７）する。ユーザ情報、機器プロファイルは、記憶部（９０２）に記憶されている。なお、ユーザ情報、機器プロファイルは、メモリ（２０４）に記憶しておいてもよいし、操作部（９０３）から入力してもよい。機器プロファイルは、詳細は後述するが、例えば、図８に示すように、ＡＢＣ１２３４５等である。
【００２１】
オンラインコンテンツ管理サーバ（２０１）では、ユーザ情報登録処理（４０８）を行い、その後、受け取った機器プロファイルから、対応するサービスの検索を、機器プロファイル・サービス関連テーブルを用いて行う（４０９）。
【００２２】
機器プロファイル・サービス管理テーブルは、図８のように、機器プロファイルに対応する製品名、及びその製品の種類によって決定されるサービスの種類が管理されている。対応するサービスの種類には、例えば、オンラインコンテンツ管理サーバ（２０１）が有する記憶部の所定のデータ容量を使用することを許可するサービスにおいて、ユーザに使用を許可するデータ容量があり、これ以外にも各種機器ごとに対応するサービスを決定することが可能である。
【００２３】
尚、機器プロファイル・サービス管理テーブル（サービスデータベース）（２０５）は、オンラインコンテンツ管理サーバ（２０１）内に存在することも可能である。
【００２４】
オンラインコンテンツ管理サーバ（２０５）において、機器プロファイルに対応するサービスが決定（４１１）されると、それに伴った正式ユーザＩＤが機器（２０３）に対して発行される（４１２）。
【００２５】
機器（２０３）側では、正式ＩＤを受け取ると、それを機器内部の記憶部（９０２）に記憶し、図５に示すように、２回目以降のオンラインコンテンツ管理サーバ（２０１）利用時（５０１）には、正式ＩＤを用いて認証処理を行う（５０５）。なお、インターネットサービスプロバイダとの間のユーザ認証（５０４）には、メモリ（２０４）に記憶されているインターネットプロバイダ情報を用いる。
【００２６】
すなわち、本形態のコンテンツ管理システムは、コンテンツ管理サーバ（２０１）と移動局（２０３）から構成される。移動局（２０３）は、基地局（２０４）と通信を確立し（４０３）、インターネットサービスプロバイダへ認証を要求し（４０４）、コンテンツ管理サーバ（２０１）へ仮ＩＤを用いたユーザ認証を要求し（４０５）、コンテンツ管理サーバ（２０１）へユーザ情報と機器プロファイルの登録し（４０７）、取得した正式ＩＤを移動局（２０３）内部の記憶部（９０２）に保存する（４１３）。
【００２７】
コンテンツ管理サーバ（２０１）は、ユーザ認証処理を行い、ユーザ情報を登録し（４０８）、機器プロファイルより対応するサービスを検索し（４０９）、検索結果に基づき提供するサービスを決定し（４１１）、正式ＩＤを発行し移動局（２０３）へ送信する（４１２）。
【００２８】
また、インターネットプロバイダ情報（インターネットサービスプロバイダとの認証に必要な情報）、オンラインコンテンツ管理サーバ（２０１）へアクセスするための仮ＩＤなどの初期設定データは、メモリカード（２０４）に保存され、メモリカード（２０４）を移動局（２０３）のメモリ挿入部（３１１）に挿入することにより、利用可能である。
【００２９】
以上のように、ユーザ情報登録時に機器プロファイルを登録することにより、オンラインコンテンツ管理サーバ（２０１）側で、その機器の特性に対応したサービスを選択し提供することが可能となる。またユーザ情報登録は、間にＰＣなどを挟まずに機器を直接ネットワークへ接続して行い、また、登録後に発行される正式ＩＤを機器内部の記憶部（９０２）に記憶するので、途中で機器プロファイルを改ざんされる心配がない。
【００３０】
尚、他の形態では、メモリ（２０４）に記憶されている初期設定データであるプロバイダ情報は、限られた期間のみ有効なものとし、オンラインコンテンツ管理サーバ（２０１）へのユーザ登録が完了した時点で、オンラインコンテンツ管理サーバ（２０１）においてインターネットサービスプロバイダとの契約を行い、正式なプロバイダ登録情報を機器内部の記憶部（９０２）に記憶させる。この場合、オンラインコンテンツ管理サーバ（２０１）とインターネットサービスプロバイダとの間で、あらかじめ契約を結んでおく必要がある。
【００３１】
またオンラインコンテンツ管理サーバ（２０１）がインターネットサービスプロバイダを兼ねることも可能である。
【００３２】
また、図６に示すように、クライアント端末（６０３）が通信インターフェースを備えている場合は、基地局（６０２）とクライアント端末（６０３）を有線で直接接続し、ユーザ登録を行うことが可能であり、またクライアント端末（６０３）が通信インターフェースを備えていない場合でも、通信ユニットを接続することでユーザ登録を行うことが可能である。いずれの場合も先の形態と同様の効果が得られる。
【００３３】
（発明の実施の形態２）
本発明の実施の形態２として、ユーザ登録を完了し、正式ＩＤを取得した後に、ユーザ情報を変更する場合を示す。ユーザ登録は、例えば、実施の形態１で説明したように行い、その後、以下に説明するように、ユーザ情報を変更する。
【００３４】
実施形態および各機器の構成は実施の形態１と同様であり、それぞれ図２、図３、図９に示す。
【００３５】
以下に本形態の具体的な動作について図７を用いて説明を行う。
【００３６】
ユーザは、モード切り換えスイッチ（３１０）を通信モードに設定し、機器の操作ボタン（３０５〜３０９）のうちあらかじめ定められたボタンを押しながら電源スイッチ（３０１）を入れるか、電源投入後に操作ボタンを押しながらモード切り換えスイッチ（３１０）を撮影モードから通信モードへ切り換えるかしたときに、ユーザ登録が既に行なわれていれば、ユーザ登録変更処理が開始（７０１）される。その後、機器（２０３）は、無線基地局（２０２）との間で無線接続（７０３）を行い、インターネットサービスプロバイダとの間でユーザ認証（７０４）が行われる。ここまでは、図４で説明したユーザ登録の処理と同様である。ユーザ認証（７０４）が完了すると、機器（２０３）からオンラインコンテンツ管理サーバ（２０１）へ、正式ＩＤを用いたユーザ認証要求（７０５）が行われる。コンテンツ管理サーバへの正式ＩＤは、移動局内部の記憶部（９０２）に保存されている。
【００３７】
オンラインコンテンツ管理サーバ（２０１）は、受け取った正式ＩＤによって認証処理を行い、認証に成功した機器（２０３）に対して接続許可およびユーザ登録変更の許可（７０６）を行う。機器（２０３）は、オンラインコンテンツ管理サーバ（２０１）から接続およびユーザ登録の変更を許可されると、オンラインコンテンツ管理サーバ（２０１）へ新しいユーザ情報を登録（７０７）する。ユーザ情報は、操作部（９０３）から入力される。
【００３８】
オンラインコンテンツ管理サーバ（２０１）では、ユーザ情報の変更処理（７０８）を行い、ユーザ登録変更完了（７０９）を機器（２０３）側へ通知する。機器（２０３）は、新しいユーザ情報を、記憶部（９０２）に登録する。
【００３９】
すなわち、本形態のコンテンツ管理システムは、コンテンツ管理サーバ（２０１）と移動局（２０３）から構成される。移動局（２０３）は、基地局（２０２）と通信を確立し（７０３）、インターネットサービスプロバイダへ認証を要求し（７０４）、コンテンツ管理サーバ（２０１）へ正式ＩＤを用いたユーザ認証を要求し（７０５）、コンテンツ管理サーバ（２０１）へユーザ情報の変更を要求する（７０７）。
【００４０】
コンテンツ管理サーバ（２０１）は、ユーザ認証処理を行い、ユーザ情報を変更し（７０８）、変更結果を移動局（２０３）へ送信する（７０９）。
【００４１】
また、本形態でも、移動局（２０３）が通信インターフェース（無線インターフェース（９０４））を内蔵していない場合は、通信ユニットを接続することで基地局（２０２）との通信が可能となる。コンテンツ管理サーバ（２０１）は、インターネットサービスプロバイダを兼ねることも可能である。
【００４２】
【発明の効果】
以上説明したように、本出願によれば、ユーザ情報登録時に機器プロファイルを登録することにより、コンテンツ管理サーバ側で、その機器の特性に対応したサービスを選択し提供することが可能となる。これにより例えば、デジタルカメラよりもデジタルビデオカメラにより多くのデータ容量のサービスを利用できるようにすることが可能となり、一意的ではなく、コンテンツ管理システムの利用状況に合わせたサービスを提供することが可能となる。
【００４３】
またユーザ情報登録は、間にＰＣなどを挟まずに機器を直接ネットワークへ接続して行い、また、登録後に発行される正式ＩＤを機器内部の記憶部に記憶するので、途中で機器プロファイルを改ざんされる心配がない。よって不当にサービスを利用されることがないという効果がある。
【図面の簡単な説明】
【図１】従来例の実施形態を示した図である。
【図２】発明の実施の形態１を示した図である。
【図３】ユーザ登録を行う機器の構成を示した図である。
【図４】発明の実施の形態１におけるユーザ登録時の動作フローを示した図である。
【図５】発明の実施の形態１におけるユーザ登録完了後のサービス利用時のフローを示した図である。
【図６】発明の実施の形態１の変形例における実施形態を示した図である。
【図７】発明の実施の形態２におけるユーザ登録変更時の動作フローを示した図である。
【図８】機器プロファイル・サービス関連テーブルのデータ形式を示した図である。
【図９】発明の実施の形態１におけるデジタルカメラの構成を示した図である。
【符号の説明】
３００  デジタルカメラ
【図１】
2004318398.tif 000003
【図２】
2004318398.tif 000004
【図３】
2004318398.tif 000005
【図４】
2004318398.tif 000006
【図５】
2004318398.tif 000007
【図６】
2004318398.tif 000008
【図７】
2004318398.tif 000009
【図８】
2004318398.tif 000010
【図９】
2004318398.tif 000011